(57)【特許請求の範囲】
【請求項１】
複数の抵抗器を有する抵抗器群を２以上含み、負荷試験用に試験対象電源と接続される抵抗部と、
前記抵抗部の抵抗器を冷却する冷却ファンと、
制御部とを備え、
前記抵抗部には、前記抵抗器、若しくは前記抵抗器群、若しくは前記抵抗部に流れる電流若しくは印加された電圧を検知する電流／電圧検知部と、前記抵抗部の下流における排気温度を検知する温度検知部とが設けられ、
前記冷却ファンには、前記冷却ファンの回転状態を検知する回転状態検知部が設けられ、
前記制御部は、前記電流／電圧検知部からの情報、前記温度検知部からの情報、および前記回転状態検知部からの情報に基づいて、前記試験対象電源から前記抵抗部への電力供給を停止するオフ制御を行うものであり、
前記オフ制御が、前記電流／電圧検知部からの情報に基づくものであることを、光と音の少なくとも一方で示す電流／電圧警告部と、
前記オフ制御が、前記温度検知部からの情報に基づくものであることを、光と音の少なくとも一方で示す温度警告部と、
前記オフ制御が、前記回転状態検知部からの情報に基づくものであることを、光と音の少なくとも一方で示す冷却ファン警告部とを更に備え、
前記抵抗器群に、前記試験対象電源からの電力を供給するか否かを選択する操作スイッチを前記２以上備え、
前記電流／電圧検知部は、前記抵抗器群ごとに設けられ、
前記電流／電圧警告部として、点灯装置が、前記２以上の操作スイッチのそれぞれの近傍に設けられ、
前記操作スイッチを介して、前記試験対象電源からの電力供給対象に選択された抵抗器群については、前記抵抗器群を流れる電流値若しくは前記抵抗器群に印加された電圧値が正常動作時の範囲内であるか否かが判断され、前記試験対象電源からの電力供給対象外とされた抵抗器群については、前記抵抗器群に電流が流れているか否か若しくは前記抵抗器群に電圧が印加されているか否かが判断されることを特徴とする負荷試験装置。
【請求項２】
複数の抵抗器を有する抵抗器群を１以上含み、負荷試験用に試験対象電源と接続される抵抗部と、
前記抵抗部の抵抗器を冷却する冷却ファンと、
制御部とを備え、
前記抵抗部には、前記抵抗器、若しくは前記抵抗器群、若しくは前記抵抗部に流れる電流若しくは印加された電圧を検知する電流／電圧検知部と、前記抵抗部の下流における排気温度を検知する温度検知部とが設けられ、
前記冷却ファンには、前記冷却ファンの回転状態を検知する回転状態検知部が設けられ、
前記抵抗部の下流の排気口には、使用時に開く排気蓋が設けられ、
前記排気口若しくは前記排気蓋には、前記排気蓋の開閉状態を検知する排気開口検知部が設けられ、
前記制御部は、前記電流／電圧検知部からの情報、前記温度検知部からの情報、前記回転状態検知部からの情報、および前記排気開口検知部からの情報に基づいて、前記試験対象電源から前記抵抗部への電力供給を停止するオフ制御を行うことを特徴とする負荷試験装置。
【請求項３】
前記冷却ファンの吸気口には、使用時に開く吸気蓋が設けられ、
前記吸気口若しくは前記吸気蓋には、前記吸気蓋の開閉状態を検知する吸気開口検知部が設けられ、
前記制御部は、前記電流／電圧検知部からの情報、前記温度検知部からの情報、前記回転状態検知部からの情報、前記排気開口検知部、および前記吸気開口検知部からの情報に基づいて、前記オフ制御を行うことを特徴とする請求項２に記載の負荷試験装置。
【請求項４】
前記排気蓋は、アクチュエータの駆動により開動作が行われ、
前記負荷試験装置のメイン電源がオン状態にされてから、前記アクチュエータによって前記排気蓋が開くのに必要な時間が経過した後で、前記オフ制御が開始されることを特徴とする請求項２に記載の負荷試験装置。
【発明の詳細な説明】
【技術分野】
【０００１】
本発明は、負荷試験装置に関する。
【背景技術】
【０００２】
従来、特許文献１のように、負荷試験において、抵抗器に流れる電流などが異常な場合にその抵抗器への通電を停止させる装置が提案されている。
【先行技術文献】
【特許文献】
【０００３】
【特許文献１】特開２０００−０１９２３１号公報
【発明の概要】
【発明が解決しようとする課題】
【０００４】
しかし、抵抗器に流れる電流などの検知だけでは、冷却ファンなど様々な部位から構成される負荷試験装置の異常検知を適切に行うことが出来ない。【０００５】
したがって本発明の目的は、内部の異常検知を適切に行うことが可能な負荷試験装置を提供することである。
【課題を解決するための手段】
【０００６】
本発明に係る負荷試験装置は、複数の抵抗器を有する抵抗器群を１以上含み、負荷試験用に試験対象電源と接続される抵抗部と、抵抗部の抵抗器を冷却する冷却ファンと、制御部とを備え、抵抗部には、抵抗器、若しくは抵抗器群、若しくは抵抗部に流れる電流若しくは印加された電圧を検知する電流／電圧検知部と、抵抗部の下流における排気温度を検知する温度検知部とが設けられ、冷却ファンには、冷却ファンの回転状態を検知する回転状態検知部が設けられ、制御部は、電流／電圧検知部からの情報、温度検知部からの情報、および回転状態検知部からの情報に基づいて、試験対象電源から抵抗部への電力供給を停止するオフ制御を行う。【０００７】
制御部が、回転状態検知部による冷却ファンの動作状況、電流／電圧検知部による電流若しくは電圧の状況、温度検知部による排気温度を検知した上で、オフ制御を行うため、負荷試験装置に不具合が生じた場合に、試験対象電源から負荷試験装置（抵抗部）への電力供給を停止させる。このため、負荷試験装置内部の異常検知を適切い行い、負荷試験装置（特に、抵抗部）のさらなる故障を防ぐことが可能になる。【０００８】
好ましくは、オフ制御が、電流／電圧検知部からの情報に基づくものであることを、光と音の少なくとも一方で示す電流／電圧警告部と、オフ制御が、温度検知部からの情報に基づくものであることを、光と音の少なくとも一方で示す温度警告部と、オフ制御が、回転状態検知部からの情報に基づくものであることを、光と音の少なくとも一方で示す冷却ファン警告部とを更に備える。【０００９】
特に、警告を行い、不具合の箇所を示すことで、冷却ファンの動作不良なのか、抵抗部の不具合なのか、それ以外の不具合（若しくは全体的な不具合）なのか等を把握することが可能になり、不具合の改善を容易に出来る。【００１０】
さらに好ましくは、抵抗部は、抵抗器群を２以上有し、抵抗器群に、試験対象電源からの電力を供給するか否かを選択する操作スイッチを２以上備え、電流／電圧検知部は、抵抗器群ごとに設けられ、電流／電圧警告部として、点灯装置が、２以上の操作スイッチのそれぞれの近傍に設けられる。【００１１】
特に、警告を行い、不具合の箇所を示すことで、冷却ファンの動作不良なのか、抵抗部の不具合なのか（且つどの抵抗器群の不具合なのか）、それ以外の不具合（若しくは全体的な不具合）なのか等を視認することが可能になり、不具合の改善を容易に出来る。【００１２】
さらに好ましくは、操作スイッチを介して、試験対象電源からの電力供給対象に選択された抵抗器群については、抵抗器群を流れる電流値若しくは抵抗器群に印加された電圧値が正常動作時の範囲内であるか否かが判断され、試験対象電源からの電力供給対象外とされた抵抗器群については、抵抗器群に電流が流れているか否か若しくは抵抗器群に電圧が印加されているか否かが判断される。【００１３】
また、好ましくは、抵抗部の下流の排気口には、使用時に開く排気蓋が設けられ、排気口若しくは排気蓋には、排気蓋の開閉状態を検知する排気開口検知部が設けられ、制御部は、電流／電圧検知部からの情報、温度検知部からの情報、回転状態検知部からの情報、および排気開口検知部からの情報に基づいて、オフ制御を行う。【００１４】
さらに好ましくは、冷却ファンの吸気口には、使用時に開く吸気蓋が設けられ、吸気口若しくは吸気蓋には、吸気蓋の開閉状態を検知する吸気開口検知部が設けられ、制御部は、電流／電圧検知部からの情報、温度検知部からの情報、回転状態検知部からの情報、排気開口検知部、および吸気開口検知部からの情報に基づいて、オフ制御を行う。【００１５】
また、好ましくは、排気蓋は、アクチュエータの駆動により開動作が行われ、負荷試験装置のメイン電源がオン状態にされてから、アクチュエータによって排気蓋が開くのに必要な時間が経過した後で、オフ制御が開始される。
【発明の効果】
【００１６】
以上のように本発明によれば、内部の異常検知を適切に行うことが可能な負荷試験装置を提供することができる。
【図面の簡単な説明】
【００１７】
【図１】本実施形態における負荷試験装置の構成を示す斜視図である。
【図２】負荷試験装置の構成を示す模式図である。
【図３】抵抗部の回路構成を示す模式図である。
【図４】オフ制御の動作手順を示すフローチャートである。
【図５】操作部の構成を示す模式図である。
【図６】表示装置を操作部に設けた形態における操作部の構成を示す模式図である。
【図７】本実施形態におけるオフ制御を使った低圧の負荷試験装置の側面図である。
【図８】本実施形態におけるオフ制御を使った高圧の負荷試験装置の側面図である。
【発明を実施するための形態】
【００１８】
以下、本実施形態について、図を用いて説明する。第１実施形態における負荷試験装置１は、冷却ファン１０、抵抗部２０、筐体３０、メインスイッチ５０、操作部６０、制御部８０を備え、発電機などの電源装置（試験対象電源）の負荷試験を行うために用いられる（図１〜図６参照）。
【００１９】
冷却ファン１０は、抵抗部２０に冷却風を送る装置で、冷却ファン１０の上部に抵抗部２０が配置される。
【００２０】
冷却ファン１０には、ファイバーセンサ、レーザーセンサ、光電センサ、風圧センサなど、ファンの回転状態を検知する回転状態検知部１０ａが設けられる。
【００２１】
回転状態検知部１０ａは、冷却ファン１０の回転数を検知し、回転数に関する情報を制御部８０に送信する。
【００２２】
抵抗部２０は、水平方向に延びる棒状の抵抗器が所定の間隔を空けて複数本並べられ、直列又は並列に接続された抵抗器群が、１以上設けられたもので、負荷試験の際には、当該抵抗器群の一部又は全部に、試験対象電源からの電力が供給される。
【００２３】
抵抗部２０には、電流計や電圧計など、抵抗器に接続されたブスバーや電気ケーブルと接続して、抵抗器を流れる電流若しくは抵抗器に印加された電圧を検知する電流／電圧検知部２０ａや、抵抗部２０の上部の排気温度を検知する温度検知部２０ｂが設けられる。
【００２４】
電流／電圧検知部２０ａは、抵抗器を流れる電流若しくは抵抗器に印加された電圧を検知し、電流若しくは電圧に関する情報を制御部８０に送信する。電流／電圧検知部２０ａは、抵抗器群ごとに配置される形態が望ましいが、メインスイッチ５０を介して試験対象電源から供給される電力が各抵抗器群に配電される前段階の部分に１つだけ配置する形態であってもよい。また、抵抗器群を構成する抵抗器の一つ一つに電流／電圧検知部２０ａが配置される形態であってもよい。
【００２５】
本実施形態では、抵抗器群ごとに電流／電圧検知部２０ａが配置される例を示す。抵抗器群の数（本実施形態では４つ）だけ、調整スイッチ６０ｂのスイッチ（第１スイッチＳ１〜第４スイッチＳ４）が設けられるので、不具合箇所を有する抵抗器群を示しやすいメリットがある。
【００２６】
また、試験対象電源が三相交流電源の場合には、抵抗器群におけるＵ相の抵抗器、Ｖ相の抵抗器、Ｗ相の抵抗器ごとに、電流若しくは電圧が検知されるのが望ましいが、メインスイッチ５０を介して試験対象電源から供給される電力が各抵抗器群に配置される前段階の部分にＵ相、Ｖ相、Ｗ相ごとに３つだけ配置する形態であってもよい。
【００２７】
本実施形態では、三相交流電源の負荷試験用として、定格容量５ｋＷの抵抗器群が２つ（第１抵抗器群Ｇ１、第２抵抗器群Ｇ２）と、１０ｋＷの抵抗器群が２つ（第３抵抗器群Ｇ３、第４抵抗器群Ｇ４）の計４つの抵抗器群が設けられた例を示す。
【００２８】
それぞれの抵抗器群には、試験対象電源のＲ相端子と接続するＵ相用に直列に接続された２つの抵抗器（第１抵抗器Ｒ１、第２抵抗器Ｒ２）、試験対象電源のＳ相端子と接続するＶ相用に直列に接続された２つの抵抗器（第３抵抗器Ｒ３、第４抵抗器Ｒ４）、試験対象電源のＴ相端子と接続するＷ相用に直列に接続された２つの抵抗器（第５抵抗器Ｒ５、第６抵抗器Ｒ６）と、第１抵抗器Ｒ１と第２抵抗器Ｒ２の間や、第３抵抗器Ｒ３と第４抵抗器Ｒ４の間や、第５抵抗器Ｒ５と第６抵抗器Ｒ６の間にスイッチング装置ＳＷが設けられる。
【００２９】
それぞれの抵抗器群における第２抵抗器Ｒ２の一方の端子は、試験対象電源のＲ相端子と接続するＵ相端子Ｕ１から延びるＵ相用線ＵＢと接続され、第４抵抗器Ｒ４の一方の端子は、試験対象電源のＳ相端子と接続するＶ相端子Ｖ１から延びるＶ相用線ＶＢと接続され、第６抵抗器Ｒ６の一方の端子は、試験対象電源のＴ相端子と接続するＷ相端子Ｗ１から延びるＷ相用線ＷＢと接続される。
【００３０】
それぞれの抵抗器群における第１抵抗器Ｒ１の一方の端子と、第３抵抗器Ｒ３の一方の端子と、第５抵抗器Ｒ５の一方の端子が短絡される。
【００３１】
電流を検知する場合には、電流／電圧検知部２０ａの設置例として、それぞれの抵抗器群におけるスイッチング装置ＳＷの第１抵抗器Ｒ１と接続する部分にＵ相用の電流計が設けられ、第３抵抗器Ｒ３と接続する部分にＶ相用の電流計が設けられ、第５抵抗器Ｒ５と接続する部分にＷ相用の電流計が設けられる形態が考えられる。
【００３２】
電圧を検知する場合には、電流／電圧検知部２０ａの設置例として、それぞれの抵抗器群における第１抵抗器Ｒ１の一方の端子と第２抵抗器Ｒ２の一方の端子とに両端が接続される電圧計が設けられ、第３抵抗器Ｒ３の一方の端子と第４抵抗器Ｒ４の一方の端子とに両端が接続される電圧計が設けられ、第５抵抗器Ｒ５の一方の端子と第６抵抗器Ｒ６の一方の端子とに両端が接続される電圧計が設けられる形態が考えられる。
【００３３】
ただし、抵抗器群の数やそれぞれの定格電圧や定格容量、抵抗器の配線や、電流計や電圧計の配置は上述の構成に限るものではない。
【００３４】
また、電流／電圧検知部２０ａは、電流若しくは電圧の少なくとも一方を検知する形態でもよいが、異常を正確に検知するには、電流と電圧の両方を検知する形態が望ましい。
【００３５】
温度検知部２０ｂは、抵抗部２０の上部（下流）の排気温度を検知し、排気温度に関する情報を制御部８０に送信する。
【００３６】
筐体３０は、冷却ファン１０、抵抗部２０、メインスイッチ５０、操作部６０、制御部８０など負荷試験装置を保持するケースである。筐体３０における、冷却ファン１０の下方の側面（上流）には、吸気口３１が設けられ、抵抗部２０の上方（下流）には、排気口３３が設けられる。
【００３７】
吸気口３１には、使用時に開き不使用時に閉じる吸気蓋３２が設けられ、排気口３３には、使用時に開き不使用時に閉じる排気蓋３４が設けられる。
【００３８】
吸気蓋３２は、操作部６０のオンオフ動作に連動して動作する第１アクチュエータ３２ａを介して、開閉する。吸気蓋３２には、近接センサやリミットスイッチなどで構成され、吸気蓋３２の開閉状態、すなわち、吸気口３１が開口しているかどうかを検知する吸気開口検知部３２ｂが設けられる。なお、第１アクチュエータ３２ａを使った自動的な開閉に限らず、手動で吸気蓋３２を開閉させる形態であってもよい。
【００３９】
吸気開口検知部３２ｂは、吸気蓋３２が開いているか否かを検知し、吸気蓋３２が開いているか否かに関する情報を制御部８０に送信する。ただし、更に細かく、吸気蓋３２の開閉度合いを検知する形態であってもよい。
【００４０】
排気蓋３４は、操作部６０のオンオフ動作に連動して動作する第２アクチュエータ３４ａを介して、開閉する。排気蓋３４には、近接センサやリミットスイッチなどで構成され、排気蓋３４の開閉状態、すなわち、排気口３３が開口しているかどうかを検知する排気開口検知部３４ｂが設けられる。なお、第２アクチュエータ３４ａを使った自動的な開閉に限らず、手動で排気蓋３４を開閉させる形態であってもよい。
【００４１】
排気開口検知部３４ｂは、排気蓋３４が開いているか否かを検知し、排気蓋３４が開いているか否かに関する情報を制御部８０に送信する。ただし、更に細かく、排気蓋３４の開閉度合いを検知する形態であってもよい。
【００４２】
本実施形態では、吸気蓋３２や排気蓋３４は、いずれも蝶番を介した開き戸で構成される形態を説明するが、引き戸など他の扉構造で構成される形態であってもよい。
【００４３】
メインスイッチ５０は、抵抗部２０と試験対象電源との間に接続され（Ｕ相用線ＵＢ上、Ｖ相用線ＶＢ上、Ｗ相用線ＷＢ上に設けられ）、オン状態の時に、試験対象電源からの電力が抵抗部２０に供給され、オフ状態の時に、試験対象電源から抵抗部２０への電力供給を停止する。
【００４４】
負荷試験装置１が正常に動作している間は、メインスイッチ５０はオン状態にされるが、各検知部からの情報に基づいて，制御部８０が負荷試験装置１を構成する部材のいずれかが正常に動作していないと判断した場合（異常を検知した場合）には、メインスイッチ５０はオフ状態にされる、すなわち、試験対象電源から抵抗部２０への電力供給を停止するオフ制御が行われる。
【００４５】
操作部６０には、負荷試験装置１の電源をオン状態にしたり、オフ状態にしたりするオンオフ操作スイッチ６０ａや、負荷量を調整する（試験対象電源からの電力供給を行う抵抗器群を選択する）調整スイッチ６０ｂ（第１スイッチＳ１〜第４スイッチＳ４）が設けられる。
【００４６】
オンオフ操作スイッチ６０ａを操作して、負荷試験装置１のメイン電源がオン状態にされると、第１アクチュエータ３２ａが動作して、吸気蓋３２が開口し、第２アクチュエータ３４ａが動作して、排気蓋３４が開口する。冷却ファン１０のファンは回転し、吸気蓋３２の開口部から取り入れた空気を、上方の抵抗部２０に送り込む。また、制御部８０、回転状態検知部１０ａ、電流／電圧検知部２０ａ、温度検知部２０ｂ、吸気開口検知部３２ｂ、排気開口検知部３４ｂが作動する。
【００４７】
オンオフ操作スイッチ６０ａとは別に、冷却ファン１０用のオンオフスイッチを設け、オンオフ操作スイッチ６０ａを操作して、負荷試験装置１のメイン電源がオン状態にされた状態で、当該冷却ファン１０用のオンオフスイッチを操作して、冷却ファン１０のファンの回転を開始させる形態であってもよい。
【００４８】
負荷試験装置１のメイン電源がオン状態にされた後、調整スイッチ６０ｂ（第１スイッチＳ１〜第４スイッチＳ４）を操作して、抵抗部２０への通電が可能な状態にされると、メインスイッチ５０がオン状態にされ、通電を選択した調整スイッチ６０ｂ（第１スイッチＳ１など）に対応する抵抗器群のスイッチング装置ＳＷがオン状態にされ、メインスイッチ５０を介して接続された試験対象電源から、抵抗部２０における通電可能な抵抗器群に、電力が供給される。
【００４９】
例えば、第１スイッチＳ１と第２スイッチＳ２がオン状態で、第３スイッチＳ３と第４スイッチＳ４がオフ状態になるように操作された場合は、第１スイッチＳ１や第２スイッチＳ２に対応した定格容量５ｋＷの第１抵抗器群Ｇ１と第２抵抗器群Ｇ２のスイッチング装置ＳＷがオン状態にされて、第１抵抗器群Ｇ１と第２抵抗器群Ｇ２に、試験対象電源からの電力が供給され、第３スイッチＳ３や第４スイッチＳ４に対応した定格容量１０ｋＷの第３抵抗器群Ｇ３と第４抵抗器群Ｇ４のスイッチング装置ＳＷがオフ状態にされて、第３抵抗器群Ｇ３と第４抵抗器群Ｇ４には、試験対象電源からの電力は供給されない。
【００５０】
操作部６０には、吸気蓋警告部６１ａ、排気蓋警告部６１ｂ、冷却ファン警告部６１ｃ、電流／電圧警告部６１ｄ、温度警告部６１ｅが設けられ、吸気蓋警告部６１ａ、排気蓋警告部６１ｂ、冷却ファン警告部６１ｃ、電流／電圧警告部６１ｄ、温度警告部６１ｅに対応する部材や状態の不具合に応じて、吸気蓋警告部６１ａ、排気蓋警告部６１ｂ、冷却ファン警告部６１ｃ、電流／電圧警告部６１ｄ、温度警告部６１ｅが警告用の出力を行う。
【００５１】
吸気蓋警告部６１ａは、操作部６０に設けられた「吸気蓋」欄の近傍に設けられ、吸気蓋３２が十分に開いていない場合に、警告用に点灯し、オフ制御が、吸気開口検知部３２ｂからの情報に基づくものであることを光で示す。
【００５２】
排気蓋警告部６１ｂは、操作部６０に設けられた「排気蓋」欄の近傍に設けられ、排気蓋３４が十分に開いていない場合に、警告用に点灯し、オフ制御が、排気開口検知部３４ｂからの情報に基づくものであることを光で示す。
【００５３】
冷却ファン警告部６１ｃは、操作部６０に設けられた「冷却ファン」欄の近傍に設けられ、冷却ファン１０が正常に動作していない場合に、警告用に点灯し、オフ制御が、回転状態検知部１０ａからの情報に基づくものであることを光で示す。
【００５４】
電流／電圧警告部６１ｄに含まれる第１警告部６１ｄ１〜第４警告部６１ｄ４は、第１スイッチＳ１〜第４スイッチＳ４の近傍それぞれに設けられ、第１スイッチＳ１〜第１２スイッチＳ１２に対応する第１抵抗器群Ｇ１〜第４抵抗器群Ｇ４に流れる電流値若しくは、抵抗器群に印加された電圧値が正常ではない場合に、警告用に点灯し、オフ制御が、電流／電圧検知部２０ａからの情報に基づくものであることを光で示す。
【００５５】
例えば、第１スイッチＳ１に対応する第１抵抗器群Ｇ１に流れる電流値が正常でない場合には、電流／電圧警告部６１ｄのうち、第１スイッチＳ１の近傍に設けられた第１警告部６１ｄ１が、警告用に点灯し、オフ制御が第１抵抗器群Ｇ１に設けられた電流／電圧検知部２０ａからの情報に基づくものであることを光で示す。
【００５６】
温度警告部６１ｅは、操作部６０に設けられた「排気温度」欄の近傍に設けられ、排気温度が高く、抵抗器が正常に冷却されていない場合に、警告用に点灯し、オフ制御が、温度検知部２０ｂからの情報に基づくものであることを光で示す。
【００５７】
吸気蓋警告部６１ａ、排気蓋警告部６１ｂ、冷却ファン警告部６１ｃ、電流／電圧警告部６１ｄ、温度警告部６１ｅのいずれも、警告用の点灯（例えば、赤色で点灯）の他に、正常動作中に別の色で点灯（例えば、緑色で点灯）する形態であってもよい。
【００５８】
制御部８０は、スイッチング装置ＳＷや冷却ファン１０やメインスイッチ５０など、負荷試験装置１の各部を制御する装置で、特に、回転状態検知部１０ａによる冷却ファン１０の動作状況、電流／電圧検知部２０ａによる抵抗部２０の動作状況（抵抗器群に流れる電流や印加された電圧の状況）、吸気開口検知部３２ｂや排気開口検知部３４ｂによる筐体３０における開口部（吸気口３１や排気口３３）の開口状態、温度検知部２０ｂによる抵抗部２０の下流の排気温度を検知した上で、メインスイッチ５０のオフ制御（試験対象電源から抵抗部２０への電力供給のオフ制御）を行う。すなわち、制御部８０は、吸気開口検知部３２ｂからの情報、排気開口検知部３４ｂからの情報、回転状態検知部１０ａからの情報、電流／電圧検知部２０ａからの情報、おおび温度検知部２０ｂからの情報に基づいて、オフ制御を行う。
【００５９】
図４のフローチャートを用いて、制御部８０によるオフ制御の手順を説明する。ステップＳ１１〜ステップＳ２０の制御は、負荷試験装置１のメイン電源がオン状態にされた後、オフ制御が行われるまで、一定時間（例えば、１分ごと）に行われる。なお、負荷試験装置１のメイン電源がオン状態にされた直後からではなく、吸気蓋３２や排気蓋３４が開くのに必要な時間が経過した後で、ステップＳ１１などのオフ制御が開始されるのが望ましい。
【００６０】
制御部８０は、吸気開口検知部３２ｂからの吸気蓋３２の開閉状態に関する情報に基づいて、吸気蓋３２が十分に開いているか否かを判断し（ステップＳ１１参照）、開いていないと判断した場合には、メインスイッチ５０をオフ状態にして、試験対象電源から負荷試験装置１の抵抗部２０への電力供給を停止させる。また、「吸気口３１が正常に開いていない」旨の警告を行う（ステップＳ１２参照）。
【００６１】
警告の例としては、操作部６０における「吸気蓋」欄近傍に設けた吸気蓋警告部６１ａを点灯させる形態が考えられる（図５参照）。
また、操作部６０などに、文字表示が可能な表示装置７０を設けて、「吸気口が十分に開いていないので、吸気蓋を開けてください。」というメッセージを表示させる形態であってもよい（図６参照）。
【００６２】
制御部８０は、排気開口検知部３４ｂからの排気蓋３４の開閉状態に関する情報に基づいて、排気蓋３４が十分に開いているか否かを判断し（ステップＳ１３参照）、開いていないと判断した場合には、メインスイッチ５０をオフ状態にして、試験対象電源から負荷試験装置１の抵抗部２０への電力供給を停止させる。また、「排気口３３が正常に開いていない」旨の警告を行う（ステップＳ１４参照）。
【００６３】
警告の例としては、操作部６０における「排気蓋」欄近傍に設けた排気蓋警告部６１ｂを点灯させる形態が考えられる。
また、操作部６０などに、文字表示が可能な表示装置７０を設けて、「排気口が十分に開いていないので、排気蓋を開けてください。」というメッセージを表示させる形態であってもよい。
【００６４】
制御部８０は、回転状態検知部１０ａからの冷却ファン１０の回転数に関する情報に基づいて、冷却ファン１０が十分に動作しているか否か（例えば、冷却ファン１０の回転数が閾値以上に回転しているか否か）を判断し（ステップＳ１５参照）、動作していないと判断した場合には、メインスイッチ５０をオフ状態にして、試験対象電源から負荷試験装置１の抵抗部２０への電力供給を停止させる。また、「冷却ファン１０が正常に動作していない」旨の警告を行う（ステップＳ１６参照）。
【００６５】
警告の例としては、操作部６０における「冷却ファン」欄近傍に設けた冷却ファン警告部６１ｃを点灯させる形態が考えられる。
また、操作部６０などに、文字表示が可能な表示装置７０を設けて、「冷却ファンが十分に動作していないので、冷却ファンを確認してください。」というメッセージを表示させる形態であってもよい。
【００６６】
制御部８０は、試験対象電源から電力供給されている抵抗器群のそれぞれについて、電流／電圧検知部２０ａからの抵抗器群を流れる電流若しくは抵抗器群に印加された電圧に関する情報に基づいて、抵抗器群を流れる電流若しくは抵抗器群に印加された電圧が正常動作時の範囲内であるか否かを判断し（ステップＳ１７参照）、正常動作時の範囲外であると判断した場合には、メインスイッチ５０をオフ状態にして、試験対象電源から負荷試験装置１の抵抗部２０への電力供給を停止させる。また、「抵抗器群に流れる電流値若しくは抵抗器群に印加された電圧値が正常でない」旨の警告を行う（ステップＳ１８参照）。
【００６７】
ステップＳ１７の判断は、調整スイッチ６０ｂ（第１スイッチＳ１〜第４スイッチＳ４）の操作で、電力供給対象と選択された抵抗器群についてだけ、電流検知や電圧検知を行う形態であってもよいが、スイッチング装置ＳＷ等の不具合により、本来は電力供給されるべきでない抵抗器群に対して試験対象電源からの電力供給が行われる可能性もある。このため、調整スイッチ６０ｂ（第１スイッチＳ１〜第４スイッチＳ４）の操作で、電力供給対象外と選択された抵抗器群についても、電流検知や電圧検知を行う（電流が流れていないか、電圧が印加されていないかを確認する）形態であってもよい。
【００６８】
この場合には、電力供給対象と選択された抵抗器群については、当該抵抗器群を流れる電流値若しくは当該抵抗器群に印加された電圧値が正常動作時の範囲内であるか否かが判断され、電力供給対象外とされた抵抗器群については、当該抵抗器群に電流が流れているか否か若しくは当該抵抗器群に電圧が印加されているか否かが判断される。
【００６９】
警告の例としては、操作部６０における第１スイッチＳ１〜第４スイッチＳ４の近傍に設けられた電流／電圧警告部６１ｄ（第１警告部６１ｄ１〜第４警告部６１ｄ４）のうち、不具合が生じた抵抗器群に対応するものを点灯させる形態が考えられる。
また、操作部６０などに、文字表示が可能な表示装置７０を設けて、たとえば、「第１スイッチに対応する第１抵抗器群に流れる電流値若しくは、抵抗器群に印加された電圧値が正常ではないので、第１抵抗器群を確認してください。」というメッセージを表示させる形態であってもよい。
【００７０】
制御部８０は、温度検知部２０ｂからの排気温度に関する情報に基づいて、排気温度が温度閾値を超えているか否かを判断し（ステップＳ１９参照）、超えていると判断した場合には、メインスイッチ５０をオフ状態にして、試験対象電源から負荷試験装置１の抵抗部２０への電力供給を停止させる。また、「抵抗器が正常に冷却されていない」旨の警告を行う（ステップＳ２０参照）。
【００７１】
警告の例としては、操作部６０における「排気温度」欄近傍に設けた温度警告部６１ｅを点灯させる形態が考えられる。
また、操作部６０などに、文字表示が可能な表示装置７０を設けて、「抵抗器が正常に冷却されていないので、各部を確認してください。」というメッセージを表示させる形態であってもよい。
【００７２】
負荷試験装置１が正常に動作している場合は、吸気蓋３２が開いた開口部（吸気口３１）から冷却ファン１０の吸気が行われ、冷却ファン１０からの送風が抵抗部２０を通り、排気蓋３４が開いた開口部（排気口３３）から排出される。
【００７３】
試験対象電源からの電力が供給されて、通電された抵抗器群の抵抗器は発熱する。
【００７４】
吸気及び排気が正常に行われ、冷却ファン１０が正常に動作しており、抵抗器に流れる電流若しくは印加された電圧が正常の範囲内であれば、抵抗器は冷却ファン１０からの送風によって冷却され、熱風は排気口３３から排出され、負荷試験を安全に行うことが出来る。
【００７５】
吸気蓋３２が正常に開いていない場合は、吸気が十分に行われないため、冷却ファン１０が十分に送風を抵抗器に送り込みにくい状態になる。
【００７６】
排気蓋３４が正常に開いていない場合は、排気が十分に行われないため、冷却ファン１０からの送風が抵抗器に流れにくい状態になる。
【００７７】
冷却ファン１０が正常に動作していない（正常に回転していない）場合は、抵抗部２０に所定量の送風を送り込むことが出来ないため、抵抗器が冷却されにくい状態になる。
【００７８】
抵抗器が破損したりほこりが付着したりした場合は、短絡などにより、抵抗器に流れる電流が多くなり（若しくは抵抗器に印加される電圧が高くなり）、冷却ファン１０が正常に動作しても、抵抗器が冷却されにくい状態になる。
【００７９】
また、それぞれの機器が正常に動作していても、冷却ファン１０は正常動作の範囲内ではあるが回転数が低く（正常動作範囲の下限値に近い）、抵抗器に流れる電流も正常動作の範囲内ではあるが電流値が高い（正常動作範囲の上限値に近い）など、冷却能力が低く、冷却対象物の温度が高い場合には、抵抗器が冷却されにくい状態になる場合が考えられる。また、抵抗部２０などに異物が混入して、冷却ファン１０が正常に動作し、抵抗器群に正常範囲の電流が流れていた場合でも、抵抗器が冷却されにくい場合も起こりえる。
【００８０】
本実施形態では、制御部８０が、回転状態検知部１０ａによる冷却ファン１０の動作状況、電流／電圧検知部２０ａによる通電された抵抗器群の電流若しくは電圧の状況、吸気開口検知部３２ｂや排気開口検知部３４ｂによる筐体３０における開口部（（吸気口３１や排気口３３）の開口状態、温度検知部２０ｂによる抵抗部２０の下流（排気口３３近傍）における排気温度を検知した上で、メインスイッチ５０のオフ制御を行うため、負荷試験装置１に不具合が生じた場合に、試験対象電源から負荷試験装置１（抵抗部２０）への電力供給を停止させる。このため、負荷試験装置１内部の異常検知を適切い行い、負荷試験装置１（特に、抵抗部２０）のさらなる故障を防ぐことが可能になる。
【００８１】
複数のセンサを用いて異常を検知するため、いずれかのセンサに異常があった場合でも、他のセンサで、異常を検知することが可能になる。例えば、回転状態検知部１０ａに不具合があって、冷却ファン１０の回転状態に異常があることを検知出来ない状態であっても、温度検知部２０ｂで排気温度が正常値よりも高いことを検知出来るため、全体として異常を発見することが出来る。
【００８２】
また、吸気蓋警告部６１ａなどを使った警告を行い、不具合の箇所を示すことで、蓋の開口の問題なのか、冷却ファン１０の動作不良なのか、抵抗部２０の不具合なのか（且つどの抵抗器群の不具合なのか）、それ以外の不具合（若しくは全体的な不具合）なのか等を視認することが可能になり、不具合の改善を容易に出来るメリットもある。
【００８３】
なお、本実施形態における負荷試験装置１は、図７に示すような低圧の電源に対応した低圧用負荷試験装置に応用することも可能であるし、図８に示すような高圧の電源に対応した高圧用負荷試験装置に応用することも可能である。
【００８４】
ただし、吸気蓋３２や排気蓋３４が省略され、吸気口３１や排気口３３が常時開口した負荷試験装置も存在し、この場合には、吸気開口検知部３２ｂや排気開口検知部３４ｂが省略される（図７参照）。
【００８５】
また、警告は、使用者に視認させるために光を使った出力による形態であってもよいし、音声出力による形態であってもよいし、両方を使った警告形態であってもよい。
【符号の説明】
【００８６】
１  負荷試験装置
１０  冷却ファン
１０ａ  回転状態検知部
２０  抵抗部
２０ａ  電流／電圧検知部
２０ｂ  温度検知部
３０  筐体
３１  吸気口
３２  吸気蓋
３２ａ  第１アクチュエータ
３２ｂ  吸気開口検知部
３３  排気口
３４  排気蓋
３４ａ  第２アクチュエータ
３４ｂ  排気開口検知部
５０  メインスイッチ
６０  操作部
６０ａ  オンオフ操作スイッチ
６０ｂ  調整スイッチ
６１ａ  吸気蓋警告部
６１ｂ  排気蓋警告部
６１ｃ  冷却ファン警告部
６１ｄ  電流／電圧警告部
６１ｄ１〜６１ｄ４  第１警告部〜第４警告部
６１ｅ  温度警告部
７０  表示装置
８０  制御部
Ｇ１〜Ｇ４  第１抵抗器群〜第４抵抗器群
Ｒ１〜Ｒ６  第１抵抗器〜第６抵抗器
Ｓ１〜Ｓ４  第１スイッチ〜第４スイッチ
ＳＷ  スイッチング装置
Ｕ１  Ｕ相端子
ＵＢ  Ｕ相用線
Ｖ１  Ｖ相端子
ＶＢ  Ｖ相用線
Ｗ１  Ｗ相端子
ＷＢ  Ｗ相用線
【要約】
【課題】  内部の異常検知を適切に行うことが可能な負荷試験装置を提供する。
【解決手段】  負荷試験装置１は、複数の抵抗器を有する抵抗器群を１以上含み、負荷試験用に試験対象電源と接続される抵抗部２０を備える。抵抗部２０の抵抗器を冷却する冷却ファン１０を備える。制御部８０を備える。抵抗部２０には、抵抗器、若しくは抵抗器群、若しくは抵抗部２０に流れる電流若しくは印加された電圧を検知する電流／電圧検知部２０ａと、抵抗部２０の下流における排気温度を検知する温度検知部２０ｂとが設けられ、冷却ファン１０には、冷却ファンの回転状態を検知する回転状態検知部１０ａが設けられ、制御部８０は、電流／電圧検知部２０ａからの情報、温度検知部２０ｂからの情報、および回転状態検知部１０ａからの情報に基づいて、試験対象電源から抵抗部２０への電力供給を停止するオフ制御を行う。
【選択図】図２【図１】
0005551324.tif 000002
【図２】
0005551324.tif 000003
【図３】
0005551324.tif 000004
【図４】
0005551324.tif 000005
【図５】
0005551324.tif 000006
【図６】
0005551324.tif 000007
【図７】
0005551324.tif 000008
【図８】
0005551324.tif 000009